(57)【特許請求の範囲】
【請求項１】
単管足場（Ａ）の腕木（１）に並べて配置した複数の足場板（２）の端部を固定する足場板の固定装置において、
上記腕木（１）の下部を支える支持板（３）と、
上記支持板（３）から水平方向に延びるナット固定部材（Ｂ）と、
上記ナット固定部材（Ｂ）に固定したナット（５）と、
上記ナット固定部材（Ｂ）の端部に起立した足場板支持片（８）と、
上記足場板（２）の端部上面に当接した押え板（６）と、
上記押え板（６）を貫通して上記ナット（５）に螺合したボルト（７）とからなり、
上記ボルト（７）を回動して上記支持板（３）を引き上げながら上記支持板（３）と上記押え板（６）と上記足場板支持片（８）とで上記腕木（１）と上記足場板（２）とを挟持する
ことを特徴とする足場板の固定装置。
【請求項２】
上記支持板（３）が断面Ｖ字状又はＣ字状に成形され、上記ナット固定部材（Ｂ）が水平板（４）と上記水平板（４）上に起立する一対のナット固定板（１０ａ）、（１０ｂ）とからなり、上記各ナット固定板（１０ａ）、（１０ｂ）に上記ナット（５）の外周を固定している請求項１に記載の足場板の固定装置。
【請求項３】
上記足場板（２）が一対の桁（２ｂ）、（２ｂ）と、上記桁（２ｂ）、（２ｂ）間に架設した多孔の踏板（２ａ）とからなり、上記足場板支持片（８）を上記水平板（４）の端部に起立して上記桁（２ｂ）、（２ｂ）の下面に対向させ、更に上記足場板支持片（８）の上端中央に上記桁（２ｂ）の側面に係合するストップ片（９）を起立させた請求項２に記載の足場板の固定装置。
【請求項４】
単管足場（Ａ）の腕木（１）に並べて配置した複数の足場板（２）の端部を固定する足場板の固定装置において、
上記足場板（２）の端部上面に当接した押え板（６）と、
上記押え板（６）の下部に垂設したナット固定板（１６）と、
上記ナット固定板（１６）に固定したナット（１５）と、
上記腕木（１）の下部を支える支持板（１３）と、
上記支持板（１３）から水平方向に延びるボルトガイド板（１４）と、
上記ボルトガイド板（１４）を貫通して上記ナット（１５）に螺合したボルト（１７）と、
上記ボルトガイド板（１４）の端部に起立した足場板支持片（１８）とからなり、
上記ボルト（１７）を回動して上記支持板（１３）を引き上げながら、上記支持板（１３）と上記押え板（６）とで上記腕木（１）と上記足場板（２）とを挟持するとともに、上記足場板支持片（１８）と上記押え板（６）とで上記足場板（２）を挟持する
ことを特徴とする足場板の固定装置。
【請求項５】
上記ナット固定板（１６）が下方に垂設した一対に支持片（１６ａ）、（１６ｂ）を備え、上記支持片（１６ａ）、（１６ｂ）間に上記ナット（１５）の外周を固定したことを特徴とする請求項４に記載の足場板の固定装置。
【請求項６】
上記足場板（２）が一対の桁（２ｂ）、（２ｂ）と、上記桁（２ｂ）、（２ｂ）間に架設した多孔の踏板（２ａ）とからなり、上記足場板支持片（１８）の上端にスリット（１９ａ）を形成した水平な係止片（１９）を設け、上記係止片（１９）の上面に上記桁（２ｂ）の下面を当接し、上記スリット（１９ａ）に上記ナット固定板（１６）の端部を嵌合させている請求項４又は５に記載の足場板の固定装置。
【発明の詳細な説明】
【技術分野】
【０００１】
本発明は、足場板の固定装置に関し、特に縦方向の建地と、建地にクランプを介して組み付けた布及び腕木とを単管パイプで構成し、腕木に足場板を架設した単管足場において、上記足場板を腕木に固定させるのに適する足場板の固定装置に関する。
【背景技術】
【０００２】
一般に、単管パイプを組みつけた単管足場を建築、土木、構築物の解体、修理等の現場に設置する場合、現場の面積の大きさ、周囲の障害物の有無等により建地としての単管パイプを起立する位置が異なり、その結果対向する横方向の建地同士間の距離と前後方向の建地同士間の距離とが異なる場合が多く、足場板を架設する腕木間の距離も現場によってまちまちとなる。
【０００３】
一方、一般的な足場板はその長さと横幅は一定であり、この足場板の端部に腕木に引掛けるフックを設けているが、対向する腕木間の距離が足場板の長さに対応していればそのままフックを介して腕木間に架設できるが、上記のように建築等の現場によって対向する腕木間の距離が異なると、上記のフックを介して腕木間に架設できない。
【０００４】
この為、従来は、例えば、腕木の上に足場板を置き、腕木と足場板とを番線で結合する方法が採用されているが、この方法であると番線を巻きつける作業が面倒で手を痛める不具合があり、また足場板を撤去する際にはこの番線を切断する必要があり、その作業が面倒で困難であり、番線の再利用が無理で無駄にしてしまい、作業性、経済性に不利である。
【０００５】
この為、例えば、特許文献１に示すような足場板固定具が開発されている。
【０００６】
この足場板固定具は弾性な線材からなる単一の係止金具からなり、ワンタッチで単管パイプからなる腕木に足場板を固定し、又は取外しできるようにしたものであり、繰り返し再利用が可能である。
【先行技術文献】
【特許文献】
【０００７】
【特許文献１】特開２００９−１０２８２１号公報（図２、請求項１、要約参照）
【発明の概要】
【発明が解決しようとする課題】
【０００８】
上記特許文献１に示す足場板の固定具は構造上欠陥があるわけではないが、この固定具は線材で構成されていることから足場板の定着力が弱く、振動等の外力が作用すると足場板が動いたり、外れたりする恐れがある。
また、番線の弾性に抗して手動で取付け、取外し作業を行うため取付け、取外し作業が面倒であり、その改善が望まれている。
そこで本発明の目的は、足場板の定着力が強固であり、取付け、取外し作業が容易な足場板の固定装置を提供することである。
【課題を解決するための手段】
【０００９】
上記の目的を達成するため、本発明の一つの手段は、単管足場の腕木に並べて配置した複数の足場板の端部を固定する足場板の固定装置において、
上記腕木の下部を支える支持板と、上記支持板から水平方向に延びるナット固定部材と、上記ナット固定部材に固定したナットと、上記ナット固定部材の端部に起立した足場板支持片と、上記足場板の端部上面に当接した押え板と、上記押え板を貫通して上記ナットに螺合したボルトとからなり、ボルトを回動して上記支持板を引き上げながら当該支持板と上記押え板と上記足場支持片とで上記腕木と上記足場板とを挟持することを特徴とするものである。
【００１０】
同じく、他の手段は、単管足場の腕木に並べて配置した複数の足場板の端部を固定する足場板の固定装置において、上記足場板の端部上面に当接した押え板と、上記押え板の下部に垂設したナット固定板と、上記ナット固定板に固定したナットと、上記腕木の下部を支える支持板と、上記支持板から水平方向に延びるボルトガイド板と、上記ボルトガイド板を貫通して上記ナットに螺合したボルトと、上記ボルトガイド板の端部に起立した足場板支持片とからなり、上記ボルトを回動して上記支持板を引き上げながら、上記支持板と上記押え板とで上記腕木と上記足場板とを挟持するとともに、上記足場板支持片と上記押え板とで上記足場板を挟持することを特徴とするものである。
【発明の効果】
【００１１】
本発明によれば次の効果を達成できる。
１）請求項１の発明によれば腕木と足場板とが支持板と押え板と支持片とで挟持され、請求項４の発明によれば、腕木と足場板とが支持板と、押え板と足場支持片とで挟持されるから腕木に対する足場板の固定力が番線等による固定力に比べて強力となり、振動等の外力が作用しても足場板が弛んだり、外れたりするのを防止できる。
２）請求項１及び４の発明によれば、ボルトを回動するだけで足場板を腕木に固定したり、外したりできるので、番線を使用して足場板を固定する場合に比べて手を痛めることなくスムースに取付け、取外し作業が可能となり、操作性の向上とスピードアップを図れる。
【図面の簡単な説明】
【００１２】
【図１】請求項１の発明に係る一実施の形態の足場板の固定装置を利用して腕木に足場板を固定した状態を示す単管足場の一部切り欠き斜視図である。
【図２】図１の一部拡大斜視図である。
【図３】押え板の拡大平面図である。
【図４】押え板と足場板の固定装置の一部拡大側面図である。
【図５】足場板の固定装置で腕木に足場板を固定した状態の一部拡大縦断正面図である。
【図６】二つの足場板の桁間にストップ片を差し込んだ状態の一部拡大側面図である。
【図７】腕木上に足場板と押え板とを重ねた状態に一部拡大正面図である。
【図８】請求項４の発明に係る一実施の形態の足場板の固定装置を利用して腕木に足場板を固定した状態を示す単管足場の一部切り欠き斜視図である。
【図９】図８の一部拡大斜視図である。
【図１０】押え板の拡大平面図である。
【図１１】押え板と足場板の固定装置の一部拡大側面図である。
【図１２】足場板の固定装置で腕木に足場板を固定した状態の一部拡大縦断正面図である。
【図１３】腕木上に足場板と押え板とを重ねた状態に一部拡大正面図である。
【発明を実施するための形態】
【００１３】
以下本発明の実施の一例を図に基づいて説明する。
【００１４】
図１〜図７は請求項１の発明の実施の形態に係る足場板の固定装置を示す。
【００１５】
この足場板の固定装置は、単管足場Ａの腕木１に並べて配置した複数の足場板２の端部を固定するものである。
【００１６】
単管足場Ａは公知のように、単管パイプからなる建地を横方向と前後方向に多数起立させ、横方向に並べて対向する建地間に単管パイプからなる水平な布をクランプを介して結合し、同じく前後方向に対向する建地間に単管パイプからなる腕木をクランプを介して結合し、対向する腕木間に足場板を架設している。
【００１７】
そして、この単管足場を建築、土木、構築物の解体、修理等の現場に設置する場合、現場の面積の大きさ、周囲の障害物の有無等により建地としての単管パイプを起立する位置が異なり、その結果対向する横方向の建地同士間の距離と前後方向の建地同士間の距離とが異なる場合が多いが、本発明の足場板の固定装置はこの建地間の距離に関係なく足場板を腕木に架設できるようしている。
【００１８】
図１〜図７に示す足場の固定装置は、単管パイプからなる腕木１の下部を支える支持板３と、支持板３から水平方向に延びるナット固定部材Ｂと、ナット固定部材Ｂに固定したナット５と、ナット固定部材Ｂの端部に起立した足場板支持片８と、足場板２の端部上面に当接した押え板６と、押え板６を貫通してナット５に螺合したボルト７とから構成されている。
【００１９】
そして、ボルト７を工具等を介して回動するとボルト７の螺子に沿って支持板３が引き上げられ、支持板３と押え板６と足場板支持片８とで腕木１と足場板２とを強固に挟持するものである。
【００２０】
支持板３は図２に示すように断面Ｖ字状成形されているが腕木１の外周に沿うようにＣ字状に湾曲させておいても良い。
【００２１】
ナット固定部材Ｂは水平板４と水平板４上に起立する一対の直交するナット固定板１０ａ、１０ｂとからなり、各ナット固定板１０ａ、１０ｂにナット５の外周を固定している。
【００２２】
腕木１上に並べた各足場板は一対の桁２ｂ、２ｂと、桁２ｂ、２ｂ間に架設した多孔の踏板２ａとで構成され、踏板２ａには滑り止めように孔２ｃが多数形成されている。
【００２３】
押え板６はボルト７を挿通させる孔と、両端の位置決め片１１，１１を備えている。
【００２４】
足場板支持片８は図１、図２、図６に示すように、水平板４の端部に起立して各桁２ｂ、２ｂの下面に対向させ、更に足場板支持片８の上端中央に桁２ｂの側面に係合するストップ片９を起立させている。
【００２５】
足場板２の端部を腕木１上に固定する場合は、まず腕木１上に複数の足場板２の端部をわずかな隙間を設けながら並べて置く。
【００２６】
次に、隣同士の足場板２、２間に本発明の足場板の固定装置を配置する。
【００２７】
この場合、押え板６に形成した孔にボルト７を挿入し、次に支持板３を腕木１の下部に宛がいながらボルト７をその頭部１０を工具等で回動させてナット５に螺合させる。
【００２８】
この為、水平板４とナット５と足場板支持片８とがボルト７の螺子に沿って上昇し、足場板支持片８の肩部が足場板２の桁２ｂの下面に当接し、ストップ片９が桁２ｂ、２ｂ間の隙間に挿入され、同時に支持板３も上方に引き上げられて腕木１の下部に圧接する。
【００２９】
また、ボルト７は水平板４に形成した孔１２を介して下方に貫通し、このボルト７の六角頭部１０で押圧された押え板６が足場板２の上面に圧接され、結果的に腕木１と足場板２とが支持板３と押え板６とで強固に挟持される。
【００３０】
上記の足場板支持片８とストップ片９は無くても使用可能であるが、ボルト７を回動して支持板３を締め付けたとき反力を足場板支持片８を介して桁２ｂで受けてナット固定部材Ｂ全体が傾くのを防止するので存在している方が好ましい。
【００３１】
上記の足場板の固定装置では、ボルト７の回動操作で取付け、取外し作業が可能であり、手を痛めることなく操作でき、操作性が向上し、スピードアップを図れる。
【００３２】
また、番線等の固定手段に比べて機械的に腕木１に足場板２を挟持して固定するので、振動等の外力が足場板２や腕木１に作用しても足場板２の締結が弛まず、移動もしないので安全である。
【００３３】
次に、図８〜図１３に基づいて請求項４の発明に係る実施の形態を説明する。
【００３４】
単管足場Ａの構造は図１の場合と同じである。
【００３５】
この足場板の固定装置はボルト１７を下側たる支持板１３から延びるボルトガイド板１４に設けたものであり、作用効果は上記図１、図２に示す実施の形態と実施的に同じである。
【００３６】
また、足場板２や押え板６は上記図１の実施の形態のものと同じである。
【００３７】
ただし、押え板６にはボルト挿通用の孔は設けなくても良い。
【００３８】
足場板の固定装置は、足場板２の端部上面に当接した押え板６と、押え板６の下部に垂設したナット固定板１６と、ナット固定板１６に固定したナット１５と、腕木１の下部をささえる支持板１３と、支持板１３から水平方向に延びるボルトガイド板１４と、ボルトガイド板１４を貫通してナット１５に螺合したボルト１７と、ボルトガイド板１４の端部に起立した足場板支持片１８とから構成されている。
【００３９】
そして、この足場板の固定装置では、ボルト１７を回動して支持板１３を引き上げながら当該支持板１３と押え板６と足場板支持片１８とで腕木１と足場板２とを挟持する。
【００４０】
上記ナット固定板１６は下方に垂設した一対に支持片１６ａ、１６ｂを備え、この支持片１６ａ、１６ｂ間にナット１５の外周を固定している。
【００４１】
足場板支持片１８の上端にスリット１９ａを形成した水平な係止片１９を設け、係止片１９の上面に桁２ｂの下面を当接し、スリット１９ａにナット固定板１６の端部を嵌合させるようになっている。
【００４２】
足場板２の端部を腕木１上に固定する場合は、まず腕木１上に複数の足場板２の端部をわずかな隙間を設けながら並べて置く。
【００４３】
次に、隣同士の足場板２、２間に本発明の足場板の固定装置を配置する。
【００４４】
この場合、押え板６に垂設したナット固定板１６にナット１５を固定した状態でこのナット固定板１６を隣同士の足場板２、２の桁２ｂ、２ｂ間に挿入しておく。
【００４５】
次に支持板３を腕木１の下部に宛がい、同時に足場板支持片１８を足場板２の桁２ｂに対向させ、併せてスリット１９ａに支持片１６ａを差し込んでおく。
【００４６】
この状態で、ボルト１７をその頭部１７ａを工具等で回動させてナット１５に螺合させるとボルトガイド板１４とボルト１７と足場板支持片１８と係止片１９とがボルト１７の螺子に沿って上昇し、係止片１９の上面が足場板２の桁２ｂの下面に当接し、同時に支持板１３も上方に引き上げられて腕木１の下部に圧接する。
【００４７】
また、係止片１９が桁２ｂの下面に当接した時さらにボルト１７を締め付けると押え板６が下方に引き込まれて足場板２の上面に圧接する。その結果、腕木１と足場板２とが支持板１３と押え板６とで強固に挟持される。
【００４８】
上記の足場板支持片１８は無くても使用可能であるが、ボルト１７を回動して支持板１３を締め付けたとき反力を足場板支持片１８を介して桁２ｂで受けて支持板１３やボルトガイド板１４が傾くのを防止するので存在している方が好ましい。
【００４９】
上記の足場板の固定装置では、上記の図１の実施の形態の場合と同じく、ボルト１７の回動操作で取付け、取外し作業が可能であり、手を痛めることなく操作でき、操作性が向上し、スピードアップを図れる。
【００５０】
また、番線等の固定手段に比べて機械的に腕木１に足場板２を挟持して固定するので、振動等の外力が足場板２や腕木１に作用しても足場板２の締結が弛まず、移動もしないので安全である。
【符号の説明】
【００５１】
１  腕木
２  足場板
２ａ  踏板
２ｂ  桁
３，１３  支持板
４  水平板
５，１５  ナット
６  押え板
７，１７  ボルト
８，１８  足場板支持片
９  ストップ片
１０ａ，１０ｂ，１６  ナット固定板
１４  ボルトガイド板
１５  ナット
１６ａ，１６ｂ  支持片
１７  ボルト
１９  係止片
１９ａ  スリット
Ａ  単管足場
Ｂ  ナット固定部材
【図１】
0006689073.tif 000002
【図２】
0006689073.tif 000003
【図３】
0006689073.tif 000004
【図４】
0006689073.tif 000005
【図５】
0006689073.tif 000006
【図６】
0006689073.tif 000007
【図７】
0006689073.tif 000008
【図８】
0006689073.tif 000009
【図９】
0006689073.tif 000010
【図１０】
0006689073.tif 000011
【図１１】
0006689073.tif 000012
【図１２】
0006689073.tif 000013
【図１３】
0006689073.tif 000014